(57)【特許請求の範囲】
【請求項１】
両面にシリコーン樹脂又はフッ素系樹脂コーティングが施されたクッキングシートの包装体であって、巻き丸めた内層側のクッキングシートの外周に外層側のクッキングシートを１枚ずつ順次独立に巻き付けた状態をなす、巻き芯を有さないクッキングシートの巻き重ねロールが紙箱内に収納されており、しかも紙箱が、巻き重ねロールの一端側で開放可能であることを特徴とするクッキングシート包装体。
【請求項２】
巻き重ねロールの一端側で開放可能な紙箱が、第１〜第４周壁部と第１及び第２側壁部とを有する直方体で、第１周壁部の一側端にヒンジ用折りラインを介して開閉可能に連接された第１側壁部が、この第１側壁部の両側辺と、第１周壁部に隣接する第２及び第３周壁部の第１側壁部側の各側端との間にそれぞれ連接されたフラップ部を内側に二つ折りにして紙箱の一側端を閉鎖しているものであることを特徴とする請求項１のクッキングシート包装体。
【請求項３】
請求項１又は２のクッキングシート包装体において、紙箱を開放し、巻き重ねロールの最内層のクッキングシートを巻き重ねロールの軸方向に引き出すことを特徴とするクッキングシートの取り出し方法。
【発明の詳細な説明】
【０００１】
【発明の属する技術分野】
本発明は、シリコーン樹脂又はフッ素系樹脂コーティングを施すことで耐油性、撥水性、耐熱性等を付与した紙を、例えばオーブンの天板等の大きさに合わせて予め所定の大きさにカットしたクッキングシートの包装体及び当該包装体からのクッキングシートの取り出し方法に関する。更に詳しくは、多数枚のクッキングシートを、飛び出しにくくしかも取り出しやすい状態で紙箱に収納したコンパクトな包装体及び当該包装体から容易に一枚ずつクッキングシートを取り出すことができる取り出し方法に関する。
【０００２】
【従来の技術】
従来、定尺カット品であるクッキングシートは、多数枚を積み重ね、紙箱等に収納することで包装されている。また、クッキングシートと同様の樹脂コーティング紙の長尺品であるクッキングペーパーは、円柱状の巻き芯の周囲に巻き付けた巻き付けロールにして、鋸刃状の切断刃付の紙箱に収納した包装体として市販されている。
【０００３】
【発明が解決しようとする課題】
しかしながら、クッキングシートを積み重ねて紙箱等に収納した包装体は、通常、紙箱の上面を開いて上から一枚ずつクッキングシートを取り出すことになるが、平面面積が大きな嵩張る包装体であることから、片手で持ち運びながらの取り出しが行いにくく、取り扱い性が悪い問題がある。また、開封後に紙箱を落とすこと等によってクッキングシートが紙箱から飛び出しすと、散らばりやすい問題もある。特に、クッキングシートは、前記のような樹脂コーティングが施された滑りやすいものであることから（ＪＩＳ・Ｐ８１１９による平滑度が一般的に１０〜２５秒程度）、一旦紙箱から飛び出すと、広い範囲に散乱してしまい、使用できなくなるだけでなく、拾い集めるのも大変である。
【０００４】
一方、クッキングペーパーの包装体は、クッキングペーパーを巻き付けロールとして紙箱に収納したコンパクトな包装体となっているので、片手での持ち運びが容易である。また、クッキングペーパーは長尺で巻き付けロールとして巻かれているので、仮に紙箱から飛び出しても、上記のような飛散を生じにくいものとなっている。
【０００５】
しかしながら、このクッキングペーパーの場合、使用の都度必要長さを引き出して切断しなければならず、同じ調理器具に繰り返し使用することが多いレストラン等のプロの厨房では、何度も同じ長さを引き出して切断する手間を省くために、クッキングペーパーよりクッキングシートが好まれている。また、クッキングペーパーの場合、鋸刃状の切断刃を有する紙箱とする必要があるが、この切断刃は通常金属製で、廃棄時に紙箱と分離廃棄する手間を要する問題もある。
【０００６】
本発明は、このような従来の問題点にかんがみてなされたもので、使用の都度切断する必要のない定尺カット品であるクッキングシートの包装体について、飛び出し時に飛散しにくく、しかも持ち運びながらの取り出しが行いやすいコンパクトな包装体とすると共に、当該包装体からのクッキングシートの容易な取り出し方法を提供することを目的とする。
【０００７】
【課題を解決するための手段】
このために本発明では、両面にシリコーン樹脂又はフッ素系樹脂コーティングが施されたクッキングシートの包装体であって、巻き丸めた内層側のクッキングシートの外周に外層側のクッキングシートを１枚ずつ順次独立に巻き付けた状態をなす、巻き芯を有さないクッキングシートの巻き重ねロールが紙箱内に収納されており、しかも紙箱が、巻き重ねロールの一端側で開放可能であることを特徴とするクッキングシート包装体としているものである。
【０００８】
また、本発明は、上記クッキングシート包装体において、紙箱を開放し、巻き重ねロールの最内層のクッキングシートを巻き重ねロールの軸方向に引き出すことを特徴とするクッキングシートの取り出し方法を提供するものでもある。
【０００９】
【発明の実施の形態】
図１〜図５に基づいて、本発明に係るクッキングシート包装体及び取り出し方法の一例を説明する。尚、図１及び図３における破線は折り曲げラインを示す。
【００１０】
本包装体は、図１に示されるように、直方体の紙箱１内に、クッキングシート２ａ，２ｂ，…の巻き重ねロール２を、その中心軸を紙箱１の長手方向に向けて収納したものとなっている。
【００１１】
上記クッキングシートの巻き重ねロール２とは、図２に示されるように、巻き丸めた内層側のクッキングシート２ａの外周に外層側のクッキングシート２ｂ，…を１枚ずつ順次巻き付けた状態のロールで、巻き芯を有さないものある。つまり、積み重ねたクッキングシート２ａ，２ｂ，…をいっぺんに巻き丸めた状態のものではなく、クッキングシート２ａ，２ｂ，…を内層側から順次１枚ずつ独立に巻き重ねた状態のロールで、しかも巻き芯を有さないものとなっている。
【００１２】
クッキングシート２ａ，２ｂ，・・・は、前述したように、シリコーン樹脂又はフッ素系樹脂コーティングを施した紙の定尺カット品で、一般的にはシリコーン樹脂コーティングを施したケミカルパルプ紙の定尺カット品である。クッキングシート２ａ，２ｂ，・・・は、後述する取り出し時の滑り性がよいことから、上記樹脂コーティングを両面に施したものである。また、本発明の包装体は、一定の大きさのものが多用されている、スチームコンベクション用のクッキングシート２ａ，２ｂ，・・・の包装に最適である。
【００１３】
本例における紙箱１は、図１に示されるように、四角筒状の胴部を構成する第１〜第４周壁部３〜６と、この胴部の両側端部を塞ぐ第１及び第２側壁部７，８とを有する直方体のものとなっている。
【００１４】
本例における紙箱１は、収納されている巻き重ねロール２の一端側に位置する第１側壁部７が開放可能なもので、この第１側壁部７の先端には、図１及び図３に示されるように、切り込みによって差し込み片９が形成された封止部１０が連接されており、更にこの封止部１０の先端には、２条の断続した切り込みによって挟まれた開封部１１を介してのり代部１２が連接されている。第１側壁部７は、図１に示されるように、上記封止部１０、開封部１１及びのり代部１２を第４周壁部６上に重ね、のり代部１２を第４周壁部６に接着することで封止されているものである。
【００１５】
図３及び図４に示されるように、第１側壁部７は、ヒンジ用折りライン１３を介して第１周壁部３の一側端に連接されており、上記開封部１１を引き剥した時に、このヒンジ用折りライン１３に沿って外側へ折り倒すことによって、紙箱１の一端を開放するものとなっている。また、第４周壁部６には差し込みスリット１４が形成されており、封止部１０を図４に示されるように折り曲げて差し込み片９を突出させ、この差し込み片９を差し込みスリット１４に差し込むことで、開封後の第１側壁部７を閉鎖状態に係止できるようになっている。
【００１６】
第１側壁部７の両側辺と、第１周壁部３と隣接する第２及び第３周壁部４，５の第１側壁部７側の側端との間には、それぞれ折り畳みライン１５，１６を介してフラップ部１７，１７が連接されている。また、両フラップ部１７，１７には、フラップ部１７，１７と第２及び第３周壁部４，５間のコーナー部を通って各フラップ部１７，１７を二分する位置に二つ折りライン１８，１８が設けられている。
【００１７】
第１側壁部３は、上記折り畳みライン１５，１６及び二つ折りライン１８，１８を介して両フラップ部１７，１７を内側に二つ折りにして、ヒンジ用折りライン１３を介して立ち上げられて紙箱１の一側端を閉鎖しているものである。また、第１側壁部７は、前記開封部１１を引き剥して開封した時に、上記内側に二つ折りにされた両フラップ部１７，１７を引き伸ばしつつ、ヒンジ用折りライン１３に沿って外側へ折り倒すことで紙箱１の一側端を開放するものである。
【００１８】
次に、本例の包装体からのクッキングシート２ａ，２ｂ，…の取り出し方法を説明する。
【００１９】
まず、図１の状態において、開封部１１を引き剥して開封する。次いで、図４に示されるように、第１側壁部７を適当な位置まで外側に折り倒して紙箱１の一側端を開放し、更に図５に示されるように、手指を前記巻き重ねロール２の内側に入れ、巻き重ねロール２の内層側（最内層）のクッキングシート２ａを巻き重ねロール２の中心軸方向に引き出す。クッキングシート２ａの引き出し時には、紙箱１をやや立てた状態にすることが好ましい。このようにしてクッキングシート２ａを引き出すと、容易に内層側のクッキングシート２ａのみを引き出すことができる。その理由は、第１に、巻き重ねロール２がクッキングシート２ａ，２ｂ，…を内層側から順次１枚ずつ独立に巻き重ねた状態のロールであること、第２に、クッキングシート２ａ，２ｂ，…が前述した樹脂コーティングを施した滑りやすいものであること、更には、第３に、巻き重ねロール２の外周側が自然な巻き戻り力によってある程度紙箱１の内面に押し付けられている反面、巻き重ねロール２の内周側の巻きが自然な巻き戻りによってある程度緩んでいることが考えられる。
【００２０】
本発明におけるクッキングシート２ａ，２ｂ，・・・は、前述したように、両面に前記樹脂コーティングを施したクッキングシート２ａ，２ｂ，・・・で、上記クッキングシート２ａ，２ｂ，・・・相互間の滑りが得やすくなる。
【００２１】
本発明の包装体に用いる紙箱１は、上述したフラップ部１７，１７を有しないものでもよいが、このフラップ部１７，１７を有する紙箱１を用いることが好ましい。フラップ部１７，１７を有する紙箱１を用いると、フラップ部１７が折りぐせによりやや内側に折り畳まれた状態で内層側のクッキングシート２ａを引き出すことになり、この内層側のクッキングシート２ａの引き出しに外層側のクッキングシート２ｂが随伴してきても、外層側のクッキングシート２ｂがフラップ部１７，１７に当接することにより、外方に引き出されるのを防止することができる。
【００２２】
また、図示される紙箱１は直方体のものとなっているが、本発明においては、断面が円形や図示される四角形以外の多角形をなす紙箱を用いることもできる。
【００２３】
【発明の効果】
本発明は、以上説明した通りのものであり、次の効果を奏するものである。
【００２４】
（１）クッキングシート２ａ，２ｂ…を巻き重ねロール２として直方体の紙箱１内に収納した包装体であるので、コンパクトな包装体とすることができ、片手での持ち運びが容易であり、しかも紙箱１を巻き重ねロール２の一端側で開放するだけで、容易に一枚ずつクッキングシート２ａ，２ｂ，…を取り出すことができる。
【００２５】
（２）定尺カット品のクッキングシート２ａ，２ｂ…であるが、巻き重ねロール２となっているので、仮にこの巻き重ねロール２が紙箱１外へ飛び出しても、各クッキングシート２ａ，２ｂ…毎に飛散しにくい。
【００２６】
（３）巻き重ねロール２は巻き芯を有さないものであるので、巻き芯に必要なコストを節約することができる。
【００２７】
（４）定尺カット品のクッキングシート２ａ，２ｂ，…であるので、クッキングペーパーのように使用の都度切断する必要がなく、紙箱１に鋸刃状の切断刃を設ける必要もない。
【図面の簡単な説明】
【図１】本発明に係るクッキングペーパー包装体の一例を示す斜視図である。
【図２】図１の包装体に収納されているクッキングペーパーの巻き重ねロールの説明図である。
【図３】図１に示される包装体に用いる紙箱の第１側壁部付近の展開図である。
【図４】図１に示される包装体の開封状態を示す第１側壁部付近の拡大斜視図である。
【図５】図１に示される包装体からのクッキングペーパーの取り出し状態を示す説明図である。
【符号の説明】
１    紙箱
２    巻き重ねロール
２ａ  内層側のクッキングペーパー
２ｂ  外層側のクッキングペーパー
３    第１周壁部
４    第２周壁部
５    第３周壁部
６    第４周壁部
７    第１側壁部
８    第２側壁部
９    差し込み片
１０  封止部
１１  開封部
１２  のり代部
１３  ヒンジ用折りライン
１４  差し込みスリット
１５  折り畳みライン
１６  折り畳みライン
１７  フラップ部
１８  二つ折りライン
【図１】
0004091175.tif 000002
【図２】
0004091175.tif 000003
【図３】
0004091175.tif 000004
【図４】
0004091175.tif 000005
【図５】
0004091175.tif 000006